(57)【要約】【課題】着用者の動作をサポートしつつ、着け心地の良いパンツ型使い捨ておむつを提供すること。【解決手段】パンツ型使い捨ておむつ（１）であって、後側ベルト部（２２）は左右方向に伸縮する低圧力領域（３１）及び高圧力領域（４１）を有し、上下方向における単位幅の高圧力領域（４１）を左右方向に単位長さ伸長させるための力は、単位幅の低圧力領域（３１）を左右方向に単位長さ伸長させるための力よりも大きく、高圧力領域（４１）は一対の係止部（２４）間に亘って左右方向に連続して配置されており、高圧力領域（４１）の左右方向の両端部の方が中央部に比べて、高圧力領域（４１）の上下方向の長さが長く、高圧力領域（４１）の下端が下方に位置し、後側ベルト部（２２）の左右方向の中央部において高圧力領域（４１）の下方に隣接して低圧力領域（３１）が配置されていること。【選択図】図５
2020103719.tif 000002
【特許請求の範囲】
【請求項１】
互いに交差する上下方向と左右方向と前後方向を有し、
前側ベルト部の前記左右方向の両側部と、後側ベルト部の前記左右方向の両側部とが、一対の係止部において係止されているパンツ型使い捨ておむつであって、
前記後側ベルト部は、低圧力領域、及び、高圧力領域を有し、
前記低圧力領域、及び、前記高圧力領域は、前記左右方向に伸縮性を有し、
前記上下方向における単位幅の前記高圧力領域を、前記左右方向に単位長さ伸長させるための力は、前記単位幅の前記低圧力領域を、前記左右方向に前記単位長さ伸長させるための力よりも大きく、
前記高圧力領域は、前記一対の係止部間に亘って前記左右方向に連続して配置されており、
前記高圧力領域の前記左右方向の両端部の方が中央部に比べて、前記高圧力領域の前記上下方向の長さが長く、かつ、前記高圧力領域の下端が下方に位置し、
前記後側ベルト部の前記左右方向の中央部において、前記高圧力領域の下方に隣接して前記低圧力領域が配置されていることを特徴とするパンツ型使い捨ておむつ。
【請求項２】
請求項１に記載のパンツ型使い捨ておむつであって、
前記高圧力領域の前記左右方向の中央部から両端部に向かって、前記高圧力領域の下端が下方に傾斜していることを特徴とするパンツ型使い捨ておむつ。
【請求項３】
請求項１又は２に記載のパンツ型使い捨ておむつであって、
吸収性コアを有し、
前記高圧力領域は、前記前後方向において、前記吸収性コアの後側部と重ならずに配置されており、
前記低圧力領域は、少なくとも、前記高圧力領域の下端と前記吸収性コアの後側部の上端との間に配置されていることを特徴とするパンツ型使い捨ておむつ。
【請求項４】
請求項１から３の何れか１項に記載のパンツ型使い捨ておむつであって、
前記前側ベルト部は、前記左右方向に伸縮する前側伸縮性部材を有し、
前記前側伸縮性部材は、前記一対の係止部間に亘って前記左右方向に連続して配置されており、
前記高圧力領域は、前記係止部において前記前側伸縮性部材と連結されていることを特徴とするパンツ型使い捨ておむつ。
【請求項５】
請求項４に記載のパンツ型使い捨ておむつであって、
前記前側ベルト部は、前記左右方向に伸縮性を備える前側低圧力領域、及び、前記前側伸縮性部材を備える前側高圧力領域を有し、
前記上下方向における単位幅の前記前側高圧力領域を、前記左右方向に単位長さ伸長させるための力は、前記単位幅の前記前側低圧力領域を、前記左右方向に前記単位長さ伸長させるための力よりも大きく、
前記高圧力領域は、前記係止部において前記前側高圧力領域と連結されていることを特徴とするパンツ型使い捨ておむつ。
【請求項６】
請求項５に記載のパンツ型使い捨ておむつであって、
前記前側高圧力領域は、前記前側伸縮性部材を前記上下方向に間隔を空けて複数有し、
前記高圧力領域は、前記左右方向に伸縮する後側伸縮性部材を、前記上下方向に間隔を空けて複数有し、
前記係止部において、最も上側の前記前側伸縮性部材と最も上側の前記後側伸縮性部材とが連結されており、かつ、最も下側の前記前側伸縮性部材と最も下側の前記後側伸縮性部材とが連結されていることを特徴とするパンツ型使い捨ておむつ。
【請求項７】
請求項５又は６に記載のパンツ型使い捨ておむつであって、
前記前側高圧力領域の前記左右方向の両端部の方が中央部に比べて、前記前側高圧力領域の前記上下方向の長さが長く、かつ、前記前側高圧力領域の上端が上方に位置していることを特徴とするパンツ型使い捨ておむつ。
【請求項８】
請求項７に記載のパンツ型使い捨ておむつであって、
前記前側ベルト部の前記左右方向の中央部において、前記前側高圧力領域の上方に隣接して前記前側低圧力領域が配置されていることを特徴とするパンツ型使い捨ておむつ。
【請求項９】
請求項５から８の何れか１項に記載のパンツ型使い捨ておむつであって、
吸収性コアを有し、
前記前側高圧力領域は、前記前後方向において、前記吸収性コアの前側部と重ならずに配置されていることを特徴とするパンツ型使い捨ておむつ。
【請求項１０】
請求項１から９の何れか１項に記載のパンツ型使い捨ておむつであって、
前記高圧力領域は、前記左右方向に伸縮する後側伸縮性部材を、前記上下方向に間隔を空けて複数有し、
前記高圧力領域の前記左右方向の両端部の方が中央部に比べて、前記上下方向に隣り合う前記後側伸縮性部材の間隔が広くなっていることを特徴とするパンツ型使い捨ておむつ。
【請求項１１】
請求項１から１０の何れか１項に記載のパンツ型使い捨ておむつであって、
前記高圧力領域は、前記左右方向に伸縮する後側伸縮性部材を有し、
前記後側伸縮性部材は、シート状の部材であることを特徴とするパンツ型使い捨ておむつ。
【請求項１２】
請求項１１に記載のパンツ型使い捨ておむつであって、
前記高圧力領域では、肌側シートと非肌側シートの間に伸縮性不織布と伸縮性フィルムとが配置されており、
前記低圧力領域では、前記肌側シートと前記非肌側シートの間に前記伸縮性不織布が配置されていることを特徴とするパンツ型使い捨ておむつ。
【請求項１３】
請求項１から１２の何れか１項に記載のパンツ型使い捨ておむつであって、
一対の脚周り開口に沿って伸縮性部材が配置されていることを特徴とするパンツ型使い捨ておむつ。
【発明の詳細な説明】
【技術分野】
【０００１】
本発明は、パンツ型使い捨ておむつに関する。
【背景技術】
【０００２】
特許文献１には、腹側部の両側縁部と背側部の両側縁部とが互いに接合されたパンツ型使い捨ておむつが開示されている。特許文献１のおむつの背側部は、第１胴部弾性部材と第２胴部弾性部材を具備している。第１胴部弾性部材と第２胴部弾性部材は、その交差部が、着用者の大転子に当接するように配されている。そうすることで、おむつが脚周り弾性部材を具備していなくても、ずれ落ちることがなく、漏れを防止できるとされている。
【先行技術文献】
【特許文献】
【０００３】
【特許文献１】特許第５１０７７６０号
【発明の概要】
【発明が解決しようとする課題】
【０００４】
しかし、特許文献１のおむつの第１胴部弾性部材は、レッグ開口部の縁部からウェスト開口部の縁部に向かって延びている。つまり、第１胴部弾性部材の一端がレッグ開口部に位置して、レッグ開口部を広げるように収縮する。そのため、第１胴部弾性部材では、着用者の動作（筋力）をサポートする程の締め付け力が得られ難い。
また、第２胴部弾性部材は、背側部の側縁部から背側部の股下部寄りの中心部に向かって延びている。つまり、着用者の動きによって筋肉や皮膚の伸縮が大きい大臀筋に当接する部位に、第２胴部弾性部材が位置する。そのため、着用者の動作によって、着用者とおむつの間に摩擦が生じやすく、おむつの着け心地が低下してしまう。
【０００５】
本発明は、上記のような問題に鑑みてなされたものであって、着用者の動作をサポートしつつ、着け心地の良いパンツ型使い捨ておむつの提供を目的とする。
【課題を解決するための手段】
【０００６】
上記目的を達成するための主たる発明は、互いに交差する上下方向と左右方向と前後方向を有し、前側ベルト部の前記左右方向の両側部と、後側ベルト部の前記左右方向の両側部とが、一対の係止部において係止されているパンツ型使い捨ておむつであって、前記後側ベルト部は、低圧力領域、及び、高圧力領域を有し、前記低圧力領域、及び、前記高圧力領域は、前記左右方向に伸縮性を有し、前記上下方向における単位幅の前記高圧力領域を、前記左右方向に単位長さ伸長させるための力は、前記単位幅の前記低圧力領域を、前記左右方向に前記単位長さ伸長させるための力よりも大きく、前記高圧力領域は、前記一対の係止部間に亘って前記左右方向に連続して配置されており、前記高圧力領域の前記左右方向の両端部の方が中央部に比べて、前記高圧力領域の前記上下方向の長さが長く、かつ、前記高圧力領域の下端が下方に位置し、前記後側ベルト部の前記左右方向の中央部において、前記高圧力領域の下方に隣接して前記低圧力領域が配置されていることを特徴とするパンツ型使い捨ておむつとする。
本発明の他の特徴については、本明細書及び添付図面の記載により明らかにする。
【発明の効果】
【０００７】
本発明によれば、着用者の動作をサポートしつつ、着け心地の良いパンツ型使い捨ておむつを提供することができる。
【図面の簡単な説明】
【０００８】
【図１】パンツ型使い捨ておむつ１の概略斜視図である。
【図２】展開かつ伸長状態のおむつ１の概略平面図である。
【図３】図２のＩ−Ｉ線での概略断面図である。
【図４】図４Ａは接合部５０の一例を示す図であり、図４Ｂは前側ベルト部２１及び後側ベルト部２２の概略断面図である。
【図５】後側ベルト部２２の概略平面図である。
【図６】前側ベルト部２１の概略平面図である。
【図７】図７Ａ及び図７Ｂは、中臀筋６０の説明図である。
【発明を実施するための形態】
【０００９】
本明細書及び添付図面の記載により、少なくとも以下の事項が明らかとなる。
互いに交差する上下方向と左右方向と前後方向を有し、前側ベルト部の前記左右方向の両側部と、後側ベルト部の前記左右方向の両側部とが、一対の係止部において係止されているパンツ型使い捨ておむつであって、前記後側ベルト部は、低圧力領域、及び、高圧力領域を有し、前記低圧力領域、及び、前記高圧力領域は、前記左右方向に伸縮性を有し、前記上下方向における単位幅の前記高圧力領域を、前記左右方向に単位長さ伸長させるための力は、前記単位幅の前記低圧力領域を、前記左右方向に前記単位長さ伸長させるための力よりも大きく、前記高圧力領域は、前記一対の係止部間に亘って前記左右方向に連続して配置されており、前記高圧力領域の前記左右方向の両端部の方が中央部に比べて、前記高圧力領域の前記上下方向の長さが長く、かつ、前記高圧力領域の下端が下方に位置し、前記後側ベルト部の前記左右方向の中央部において、前記高圧力領域の下方に隣接して前記低圧力領域が配置されていることを特徴とするパンツ型使い捨ておむつである。
【００１０】
このようなパンツ型使い捨ておむつによれば、高圧力領域が前側ベルト部に連結されるため、高圧力領域の締め付け圧力が軽減してしまうことを抑制できる。また、高圧力領域が着用者の中臀筋に合わせた配置となり、高圧力領域によって中臀筋を締め付けることができ、着用者の動作（歩行）をサポートできる。一方、低圧力領域が着用者の大臀筋に合わせた配置となり、伸縮の大きい大臀筋を過度に締め付けてしまうことを抑制でき、おむつの着け心地を良くすることができる。
【００１１】
かかるパンツ型使い捨ておむつであって、前記高圧力領域の前記左右方向の中央部から両端部に向かって、前記高圧力領域の下端が下方に傾斜していることを特徴とするパンツ型使い捨ておむつである。
【００１２】
このようなパンツ型使い捨ておむつによれば、高圧力領域が着用者の中臀筋に近い形状となり、着用者の動作（歩行）をよりサポートできる。
【００１３】
かかるパンツ型使い捨ておむつであって、吸収性コアを有し、前記高圧力領域は、前記前後方向において、前記吸収性コアの後側部と重ならずに配置されており、前記低圧力領域は、少なくとも、前記高圧力領域の下端と前記吸収性コアの後側部の上端との間に配置されていることを特徴とするパンツ型使い捨ておむつである。
【００１４】
このようなパンツ型使い捨ておむつによれば、高圧力領域により吸収性コアが収縮してしまうことを抑制でき、おむつの着け心地を良くすることができる。
【００１５】
かかるパンツ型使い捨ておむつであって、前記前側ベルト部は、前記左右方向に伸縮する前側伸縮性部材を有し、前記前側伸縮性部材は、前記一対の係止部間に亘って前記左右方向に連続して配置されており、前記高圧力領域は、前記係止部において前記前側伸縮性部材と連結されていることを特徴とするパンツ型使い捨ておむつである。
【００１６】
このようなパンツ型使い捨ておむつによれば、高圧力領域と前側伸縮性部材が周状となり、着用者の胴回りにフィットするため、おむつの位置ずれを抑制できる。また、高圧力領域の締め付け圧力が高まり、着用者の動作（歩行）をよりサポートできる。
【００１７】
かかるパンツ型使い捨ておむつであって、前記前側ベルト部は、前記左右方向に伸縮性を備える前側低圧力領域、及び、前記前側伸縮性部材を備える前側高圧力領域を有し、前記上下方向における単位幅の前記前側高圧力領域を、前記左右方向に単位長さ伸長させるための力は、前記単位幅の前記前側低圧力領域を、前記左右方向に前記単位長さ伸長させるための力よりも大きく、前記高圧力領域は、前記係止部において前記前側高圧力領域と連結されていることを特徴とするパンツ型使い捨ておむつである。
【００１８】
このようなパンツ型使い捨ておむつによれば、高圧力領域と前側伸縮性部材が周状となり、着用者の胴回りにフィットするため、おむつの位置ずれを抑制できる。また、高圧力領域の締め付け圧力が高まり、着用者の動作（歩行）をよりサポートできる。
【００１９】
かかるパンツ型使い捨ておむつであって、前記前側高圧力領域は、前記前側伸縮性部材を前記上下方向に間隔を空けて複数有し、前記高圧力領域は、前記左右方向に伸縮する後側伸縮性部材を、前記上下方向に間隔を空けて複数有し、前記係止部において、最も上側の前記前側伸縮性部材と最も上側の前記後側伸縮性部材とが連結されており、かつ、最も下側の前記前側伸縮性部材と最も下側の前記後側伸縮性部材とが連結されていることを特徴とするパンツ型使い捨ておむつである。
【００２０】
このようなパンツ型使い捨ておむつによれば、高圧力領域と前側伸縮性部材が周状となり、着用者の胴回りにフィットするため、おむつの位置ずれを抑制できる。また、高圧力領域の締め付け圧力が高まり、着用者の動作（歩行）をよりサポートできる。
【００２１】
かかるパンツ型使い捨ておむつであって、前記前側高圧力領域の前記左右方向の両端部の方が中央部に比べて、前記前側高圧力領域の前記上下方向の長さが長く、かつ、前記前側高圧力領域の上端が上方に位置していることを特徴とするパンツ型使い捨ておむつである。
【００２２】
このようなパンツ型使い捨ておむつによれば、前側高圧力領域によって着用者の側部の中臀筋を締め付けることができ、着用者の動作（歩行）をよりサポートできる。また、前側高圧力領域が着用者の腹部を締め付けてしまうことを抑制でき、おむつの着け心地を良くすることができる。
【００２３】
かかるパンツ型使い捨ておむつであって、前記前側ベルト部の前記左右方向の中央部において、前記前側高圧力領域の上方に隣接して前記前側低圧力領域が配置されていることを特徴とするパンツ型使い捨ておむつである。
【００２４】
このようなパンツ型使い捨ておむつによれば、前側低圧力領域が着用者の腹部に適度にフィットし、おむつの位置ずれを抑制できる。
【００２５】
かかるパンツ型使い捨ておむつであって、吸収性コアを有し、前記前側高圧力領域は、前記前後方向において、前記吸収性コアの前側部と重ならずに配置されていることを特徴とするパンツ型使い捨ておむつである。
【００２６】
このようなパンツ型使い捨ておむつによれば、前側高圧力領域により吸収性コアが収縮してしまうことを抑制でき、おむつの着け心地を良くすることができる。
【００２７】
かかるパンツ型使い捨ておむつであって、前記高圧力領域は、前記左右方向に伸縮する後側伸縮性部材を、前記上下方向に間隔を空けて複数有し、前記高圧力領域の前記左右方向の両端部の方が中央部に比べて、前記上下方向に隣り合う前記後側伸縮性部材の間隔が広くなっていることを特徴とするパンツ型使い捨ておむつである。
【００２８】
このようなパンツ型使い捨ておむつによれば、高圧力領域の左右方向の両端部の方が中央部に比べて、高圧力領域の上下方向の長さが長くなる。よって、高圧力領域が着用者の中臀筋に合わせた配置となり、着用者の動作（歩行）をサポートできる。
【００２９】
かかるパンツ型使い捨ておむつであって、前記高圧力領域は、前記左右方向に伸縮する後側伸縮性部材を有し、前記後側伸縮性部材は、シート状の部材であることを特徴とするパンツ型使い捨ておむつである。
【００３０】
このようなパンツ型使い捨ておむつによれば、高圧力領域が着用者の中臀筋の広い範囲にフィットするため、着用者の動作（歩行）をよりサポートできる。また、高圧力領域が着用者に面でフィットするため、局所的な締め付けを防止でき、おむつの着け心地を良くすることができる。
【００３１】
かかるパンツ型使い捨ておむつであって、前記高圧力領域では、肌側シートと非肌側シートの間に伸縮性不織布と伸縮性フィルムとが配置されており、前記低圧力領域では、前記肌側シートと前記非肌側シートの間に前記伸縮性不織布が配置されていることを特徴とするパンツ型使い捨ておむつである。
【００３２】
このようなパンツ型使い捨ておむつによれば、高圧力領域及び低圧力領域が着用者に面でフィットするため、局所的な締め付けを防止でき、おむつの着け心地を良くすることができる。
【００３３】
かかるパンツ型使い捨ておむつであって、一対の脚周り開口に沿って伸縮性部材が配置されていることを特徴とするパンツ型使い捨ておむつである。
【００３４】
このようなパンツ型使い捨ておむつによれば、脚周り開口の伸縮性部材が着用者の脚周りに密着し、おむつが引き上げられ過ぎてしまうことを抑制できる。よって、高圧力領域が着用者の中臀筋に位置するように、おむつが正しく着用される。
【００３５】
＝＝＝実施形態＝＝＝
以下、パンツ型使い捨ておむつとして、大人向けのパンツ型使い捨ておむつを例に挙げて実施形態を説明する。ただしこれに限定されず、本発明に係るパンツ型使い捨ておむつは、例えば子供向け（乳幼児用）の使い捨ておむつや生理用ショーツ等としても適用できる。
【００３６】
＜＜おむつ１の基本構成＞＞
図１は、パンツ型使い捨ておむつ１（以下、おむつ１ともいう）の概略斜視図である。図２は、展開かつ伸長状態のおむつ１の概略平面図である。図３は、図２のＩ−Ｉ線（左右方向の中央）での概略断面図である。図４Ａは、前側ベルト部２１及び後側ベルト部２２の接合部５０の一例を示す図であり、図４Ｂは、前側ベルト部２１及び後側ベルト部２２の概略断面図である。
【００３７】
おむつ１は、互いに交差する上下方向、左右方向、及び、前後方向を有するとともに、図３に示すように、各部材が積層された厚さ方向を有する。上下方向において、着用者の胴側となる側を上側とし、着用者の股下となる側を下側とする。前後方向において、着用者の腹側となる側を前側とし、着用者の背側となる側を後側とする。厚さ方向において、着用者に接する側を肌側とし、その反対側を非肌側とする。
【００３８】
おむつ１は、吸収性本体１０と、吸収性本体１０の非肌側に位置する外装体２０とを有している。外装体２０は、着用者の腹側に配置される前側ベルト部２１と、着用者の背側に配置される後側ベルト部２２と、それらを繋ぐ股下部２３とを有している。
【００３９】
なお、本実施形態のおむつ１では外装体２０が３部材（前側ベルト部２１、後側ベルト部２２、及び、股下部２３）から構成されているが、これに限らない。例えば、前側ベルト部２１、後側ベルト部２２、及び、股下部２３が連続した１部材で構成されていてもよい。また、股下部２３を有さない構成としてもよい。
【００４０】
図２に示す展開状態のおむつ１では、吸収性本体１０の長手方向の一端側に、前側ベルト部２１が位置し、吸収性本体１０の長手方向の他端側に、後側ベルト部２２が位置している。展開状態のおむつ１において、吸収性本体１０が長手方向の略中央で２つ折りされ、前側ベルト部２１の左右方向の両側部と後側ベルト部２２の左右方向の両側部とが、一対の係止部２４において係止されることにより、図１に示すパンツ型となる。つまり、吸収性本体１０の長手方向がおむつ１の上下方向に沿い、前側ベルト部２１と後側ベルト部２２とが環状につながり、その上端に胴回り開口１ａが形成され、また、左右方向の両側に一対の脚回り開口１ｂが形成される。なお、係止部２４による係止方法としては、溶着や接着剤による接合等を例示できる。
【００４１】
吸収性本体１０は、図３に示すように、吸収性コア１１と、吸収性コア１１の肌側に位置する液透過性のトップシート１２と、吸収性コア１１の非肌側に位置するバックシート１３とを有している。本実施形態のバックシート１３は、液不透過性シート１３ａ、及び、その非肌側に配された疎水性の液透過性シート（例えば疎水性不織布）１３ｂの二層構造である。
【００４２】
吸収性コア１１は、尿等の排泄液を吸収して保持する部材であり、例えば高吸収性ポリマー（ＳＡＰ）が混入したパルプ繊維等の液体吸収性繊維により形成される。図示しないが、吸収性コア１１は、ティッシュペーパーや不織布等の液透過性のシートによって、外周面が覆われていてもよい。
【００４３】
前側ベルト部２１及び後側ベルト部２２は、それぞれ図２に示すように、上下方向において係止部２４と重複する部位である胴回り領域２１１，２２１と、胴回り領域２１１，２２１よりも下側の股下側領域２１２，２２２とを有している。
【００４４】
股下側領域２１２，２２２は略台形形状を成し、下側に向かうにつれて横幅（左右方向の長さ）が狭くなっている。また、前側ベルト部２１に比べて後側ベルト部２２の方が、股下側領域２２２が大きく、着用者の臀部を被覆可能となっている。
【００４５】
前側ベルト部２１及び後側ベルト部２２は、それぞれ図３に示すように、肌側シート２１３，２２３と、非肌側シート２１４，２２４と、それらの間に位置する伸縮性不織布２１５，２２５とを有している。肌側シート２１３，２２３及び非肌側シート２１４，２２４としては、スパンボンド不織布やＳＭＳ不織布等により形成された柔軟なシートを例示できる。また、肌側シート２１３，２２３及び非肌側シート２１４，２２４は、実質的に伸縮しない非伸縮性シートとする。
【００４６】
伸縮性不織布２１５，２２５は、少なくともおむつ１の左右方向に伸縮するシートとする。また、伸縮性不織布２１５，２２５は、伸縮性繊維と、非伸縮性繊維（すなわち伸縮性繊維よりも収縮性の低い伸長性繊維）を含む不織布とする。
【００４７】
伸縮性不織布２１５，２２５としては、弾性を有する熱可塑性エラストマーの一種であるポリウレタン系エラストマーの伸縮性繊維と、非弾性を有する熱可塑性樹脂の一種であるポリオレフィン系樹脂のポリプロピレン（ＰＰ）の非伸縮性繊維に、ギア延伸等の適宜な延伸処理が施された不織布を例示できる。延伸処理は、互いに直交する方向（おむつ１の左右方向及び上下方向）に延伸処理を行うものであってもよいし、所定方向（おむつ１の左右方向）にのみ延伸処理を行うものであってもよい。なお、所定方向にのみ延伸処理を行った場合、所定方向の伸縮性が発現されるが、すべての繊維の配向が所定方向に沿っているとは限らないため、所定方向と直交する方向にも伸縮性が発現される。
【００４８】
そして、肌側シート２１３，２２３、非肌側シート２１４，２２４、及び、伸縮性不織布２１５，２２５は、伸縮性不織布２１５，２２５が左右方向に伸長している状態で、接合部５０により接合されている。図４Ａに示すように、接合部５０は、おむつ１の左右方向及び上下方向に点在しているとよい。そうすることで、おむつ１が収縮すると、接合部５０の間において、肌側シート２１３，２２３及び非肌側シート２１４，２２４はたくれて、厚さ方向の外側に突出した凸部を形成する。一方、伸縮性不織布２１５，２２５は、伸縮性繊維が非伸縮性繊維を絡めつつ（集めつつ）収縮するため、厚さ方向に広がる。そのため、凸部は伸縮性不織布２１５，２２５の繊維に支持されて潰れにくくなり、凸部のクッション性が高まる。よって、前側ベルト部２１及び後側ベルト部２２の着用者への肌当たりを良くすることができる。また、視覚的にも柔らかいおむつ１である印象をユーザーに付与できる。
【００４９】
また、股下部２３も、前側ベルト部２１及び後側ベルト部２２と同様に、肌側シート２３１と非肌側シート２３２の間に伸縮性不織布２３３が配置された構成とする。ただし、股下部２３の構成は特に限定されず、例えば、肌側シート２３１を有さずに、吸収性本体１０と非肌側シート２３２の間に伸縮性不織布２３３が配置された構成であってもよい。
【００５０】
＜＜低圧力領域３０及び高圧力領域４０について＞＞
図５は、後側ベルト部２２の概略平面図である。図６は、前側ベルト部２１の概略平面図である。図７Ａ及び図７Ｂは、中臀筋６０の説明図である。
【００５１】
前側ベルト部２１及び後側ベルト部２２は、上下方向に係止部２４と重複する胴回り領域２１１，２２１（図２参照）において、それぞれ、低圧力領域３０、及び、高圧力領域４０を有する。
【００５２】
低圧力領域３０は、肌側シート２１３，２２３と非肌側シート２１４，２２４の間に伸縮性不織布２１５，２２５が配置された領域である。高圧力領域４０は、肌側シート２１３，２２３と非肌側シート２１４，２２４の間に、伸縮性不織布２１５，２２５と、伸縮性フィルム４３が配置された領域である。伸縮性フィルム４３は、少なくともおむつ１の左右方向に伸縮するシートである。そのため、低圧力領域３０及び高圧力領域４０は、左右方向に伸縮性を有する。
【００５３】
伸縮性フィルム４３としては、ウレタンやスチレンのようなエストラマー樹脂を溶融し、均一厚さのシート状とした伸縮性を有する弾性部材を例示できる。また、例えば、エラストマー層の表面と裏面にポリオレフィン層を一体化した伸縮性フィルムでもよい。この伸縮性フィルムを用いる場合は、ポリオレフィン層が伸縮性を持たないため、予めフィルムに延伸をかけることで伸縮性を発現させることができる。表面にポリオレフィン層があることで、ポリオレフィン繊維不織布との溶着がしやすくなるという利点がある。
【００５４】
高圧力領域４０は、伸縮性フィルム４３が配置されている分だけ、低圧力領域３０に比べて、おむつ着用時の締め付け圧力が高くなっている。詳しくは、上下方向における単位幅の高圧力領域４０を、左右方向に単位長さ伸長させるための力は、上下方向における単位幅の低圧力領域３０を、左右方向に単位長さ伸長させるための力よりも大きい。つまり、単位幅の高圧力領域４０において左右方向に働く収縮力が、単位幅の低圧力領域３０において左右方向に働く収縮力よりも大きく、高圧力領域４０は着用者に強く密着する。
【００５５】
ただし、高圧力領域４０の全域に伸縮性フィルム４３が配置されるに限らない。例えば、図５や図６に示すように、左右方向に延びた複数の伸縮性フィルム４３Ａ〜４３Ｆ，４３ａ〜４３ｆが上下方向に間隔を空けて配置されていてもよい。この場合、高圧力領域４０を形成する複数の伸縮性部材（ここでは伸縮性フィルム４３）のうち、最も上側に位置する伸縮性部材（４３Ａ，４３ａ）の上端と、最も下側に位置する伸縮性部材（４３Ｆ，４３ｆ）の下端と、一対の係止部２４で囲われた領域（図５に示すａｂｃｄで囲われた領域，図６に示すｅｆｇｈで囲われた領域）を高圧力領域４０とする。
【００５６】
また、本実施形態の前側ベルト部２１及び後側ベルト部２２の上端部には、ウェスト用糸ゴム２６が配置され、伸縮性不織布２１５，２２５及び伸縮性フィルム４３は配置されていない。また、ウェスト用糸ゴム２６よりも下方の全域に伸縮性不織布２１５，２２５が配置されている。ただし、上記に限定されず、前側ベルト部２１及び後側ベルト部２２の上端部において、ウェスト用糸ゴム２６に重ねて、伸縮性不織布２１５，２２５が配置されていてもよい。
【００５７】
そして、後側ベルト部２２の胴回り領域２２１のうち、高圧力領域４０よりも下方の領域を、低圧力領域３０とする。一方、前側ベルト部２１の胴回り領域２１１のうち、高圧力領域４０よりも上方の領域であり、ウェスト用糸ゴム２６よりも下方の領域を、低圧力領域３０とする。なお、後側ベルト部２２が脚周り用糸ゴム２７を有する場合、脚周り用糸ゴム２７が配置されている部位は低圧力領域３０から除くものとする。ただし、図２，図５では分かりやすさのため、脚周り用糸ゴム２７が配置されている部位も低圧力領域３０として太線で囲っている。
【００５８】
また、上下方向における単位幅の高圧力領域４０を、左右方向に単位長さ伸長させるための力と、上下方向における単位幅の低圧力領域３０を、左右方向に単位長さ伸長させるための力の比較は、周知の方法で行うとよい。例えば、後側ベルト部２２又は前側ベルト部２１から高圧力領域４０及び低圧力領域３０の全てをそれぞれサンプルとして切り出す。そして、各サンプルの上下方向の長さの平均値を算出する。また、引張試験機のチャックに、おむつ１の左右方向に対応するサンプルの両端部を挟ませる。チャック間を単位長さ離してサンプルを伸長させた状態で得られる荷重を測定する。そして、各サンプルの荷重を、各サンプルの上下方向の長さの平均値で除した値を比較するとよい。なお、後側ベルト部２２の低圧力領域３０として、脚周り用糸ゴム２７が配置されている部位を含む範囲（図５の太線の範囲）で切り出す場合、脚周り用糸ゴム２７は伸縮性が発現しないようにした状態で荷重を測定する。
【００５９】
以下の説明では、後側ベルト部２２の低圧力領域３０及び高圧力領域４０を「後側低圧力領域３１」及び「後側高圧力領域４１」といい、前側ベルト部２１の低圧力領域３０及び高圧力領域４０を「前側低圧力領域３２」及び「前側高圧力領域４２」という。
【００６０】
後側高圧力領域４１は、図２や図５に示すように、一対の係止部２４間に亘って左右方向に連続して配置されている。仮に、後側高圧力領域４１の端がレッグ開口１ｂの縁部に位置していると、後側高圧力領域４１はレッグ開口１ｂを広げるように収縮し、後側高圧力領域４１の締め付け圧力（密着力）が軽減してしまう。これに対して、本実施形態では、後側高圧力領域４１が係止部２４を介して前側ベルト部２１に連結されている。そのため、後側高圧力領域４１の締め付け圧力が軽減することを抑制できる。
【００６１】
また、後側高圧力領域４１の左右方向の両端部４１１の方が中央部４１２に比べて、後側高圧力領域４１の上下方向の長さが長く（Ｌ１＞Ｌ２）、かつ、後側高圧力領域４１の下端４１ａが下方に位置している。
【００６２】
つまり、後側高圧力領域４１は、図７Ａに示すように、着用者（人体）の中臀筋６０の形状に合わせた配置となっている。よって、おむつ１の着用時に、後側高圧力領域４１は着用者の中臀筋６０を締め付けることができ、中臀筋６０の動きを補助できる。その結果、歩行等の動作時の骨盤が安定し、着用者の動作（歩行）をサポートできる。
【００６３】
なお、上記の上下方向の長さ（Ｌ１，Ｌ２）及び下端（４１ａ）の位置関係については、少なくとも、後側高圧力領域４１の左右方向の両端と中央において成立していればよい。好ましくは、後側高圧力領域４１の左右方向の両端から全体の１／３の長さの両端部４１１と、その間の中央部４１２において、成立しているとよい。
【００６４】
また、後側高圧力領域４１の長さや位置を比較する場合、後側ベルト部２２を皺なく伸長させた状態において行うとよい。具体的には、後側ベルト部２２を構成する部材（例えば肌側シート２２３等）の寸法がその部材単体の寸法と一致又はそれに近い長さになるまで、後側ベルト部２２を伸長させた状態である。後述する他の長さや位置の比較についても同様である。
【００６５】
また、後側ベルト部２２の左右方向の中央部では、後側高圧力領域４１の下方に隣接して後側低圧力領域３１が配置されている。具体的には、少なくとも後側ベルト部２２の左右方向の中央において後側低圧力領域３１が位置していればよく、好ましくは、後側ベルト部２２の左右方向の両端から全体の１／３の長さを両端部とし、その間の中央部において後側低圧力領域３１が位置しているとよい。
【００６６】
図７Ａに示すように着用者（人体）の臀部中央部には、中臀筋６０と重ならない大臀筋６１のみが位置する。大臀筋６１のみが位置する臀部中央部は、座ったり歩いたり等の動作時に大きく伸縮する。そのため、仮に、臀部中央部に後側高圧力領域４１が位置していると、着用者とおむつ１の間に摩擦が生じやすく、おむつ１の着け心地が低下してしまう。これに対して本実施形態では、臀部中央部に合わせて後側低圧力領域３１が配置されている。そのため、筋肉や皮膚の伸縮が大きい臀部中央部を過度に締め付けることがなく、着用者とおむつ１の間に生じる摩擦を軽減でき、おむつ１の着け心地を良くすることができる。
【００６７】
また、後側低圧力領域３１は伸縮性を有するため、臀部中央部に適度にフィットでき、おむつ１の位置ずれを抑制できる。その結果、後側高圧力領域４１が中臀筋にフィットした状態が維持され、着用者の動作サポート（歩行サポート）が維持される。
【００６８】
また、後側高圧力領域４１の左右方向の中央部４１２から両端部４１１に向かって、後側高圧力領域４１の下端４１ａが下方に傾斜していることが好ましい。つまり、後側高圧力領域４１の左右方向の中央部４１２から両端部４１１に向かって、後側高圧力領域４１の上下方向の長さが徐々に長くなっているとよい。
【００６９】
そうすることで、後側高圧力領域４１は、着用者の中臀筋６０（図７Ａ）により近い形状となる。よって、後側高圧力領域４１による中臀筋６０のサポート力、すなわち着用者の動作サポート力（歩行サポート力）が高まる。なお、図５に例示する後側高圧力領域４１の下端４１ａは滑らかな曲線状に傾斜しているが、これに限らず、例えば直線状や階段状に傾斜していてもよい。
【００７０】
また、後側高圧力領域４１は、前後方向において（後側ベルト部２２の厚さ方向において）、吸収性コア１１の後側部と重ならずに配置されていることが好ましい。そうすることで、収縮力の強い後側高圧力領域４１によって、吸収性コア１１が左右方向に収縮し、厚みの大きい吸収性コア１１が凹凸形状になってしまうことを抑制できる。つまり、吸収性コア１１の平坦性が維持されて着用時の違和感が生じ難くなるため、おむつ１の着け心地を良くすることができる。なお、吸収性コア１１の後側部とは、吸収性コア１１の長手方向の中央よりも後側（背側）の部位とする。また、上記に限定されず、後側高圧力領域４１と吸収性コア１１が重なっていてもよい。
【００７１】
また、後側低圧力領域３１は、少なくとも、後側高圧力領域４１の下端４１ａと吸収性コア１１の後側部の上端１１ａとの間に配置されていることが好ましい。そうすることで、後側低圧力領域３１は、着用者の大臀筋のより広い範囲に適度にフィットできる。よって、おむつ１の位置ずれを抑制できる。
【００７２】
さらに、後側ベルト部２２の左右方向の中央部だけでなく、両端部の少なくとも一部にまで、後側低圧力領域３１が左右方向に延びているとよい。具体的には、後側ベルト部２２の左右方向の両端から全体の１／３の長さを両端部とし、その両端部の少なくとも一部にまで後側低圧力領域３１が配置されているとよい。より好ましくは、一対の係止部２４間に亘って後側低圧力領域３１配置されているとよい。そうすることで、後側低圧力領域３１は、着用者の大臀筋のより広い範囲に適度にフィットできる。
【００７３】
また、図６に示すように、前側高圧力領域４２が備える伸縮性フィルム４３（前側伸縮性部材）が、一対の係止部２４間に亘って左右方向に連続して配置されているとよい。そして、係止部２４において、後側高圧力領域４１が前側高圧力領域４２と連結されているとよい。つまり、係止部２４において、後側高圧力領域４１と前側高圧力領域４２の上下方向の位置が一部又は全部揃っているとよい。
【００７４】
そうすることで、後側高圧力領域４１と前側高圧力領域４２によって環状の伸縮領域が形成される。よって、おむつ１が着用者の胴回りにフィットし、おむつ１の位置ずれを抑制できる。また、後側高圧力領域４１の締め付け圧力が高まるため、後側高圧力領域４１による中臀筋６０のサポート力が高まる。
【００７５】
本実施形態の後側高圧力領域４１及び前側高圧力領域４２では、伸縮性フィルム４３Ａ〜４３Ｆ（後側伸縮性部材），４３ａ〜４３ｆ（前側伸縮性部材）が、上下方向に間隔を空けて複数配置されている。この場合、係止部２４において、最も上側の伸縮性フィルム４３Ａ，４３ａ同士が連結されており、最も下側の伸縮性フィルム４３Ｆ，４３ｆ同士が連結されているとよい。そうすることで上記の効果が得られる。好ましくは、上から２番目の伸縮性フィルム４３Ｂ，４３ｂ同士、上から３番目の伸縮性フィルム４３Ｃ，４３ｃ同士、上から４番目の伸縮性フィルム４３Ｄ，４３ｄ同士、上から５番目の伸縮性フィルム４３Ｅ，４３ｅ同士も、係止部２４において連結されているとよい。
【００７６】
ただし、上記に限定されず、後側高圧力領域４１と前側高圧力領域４２（前側伸縮性部材）が係止部２４において上下方向にずれて配置されていてもよい。また、前側ベルト部２１は、高圧力領域４０を有さなくてもよいし、伸縮性部材を有さなくてもよい。例えば、前側ベルト部２１に、伸縮性フィルム４３が配置されず、伸縮性不織布２１５のみが配置されていてもよい。また、伸縮性フィルム４３や伸縮性不織布２１５の代わりに、糸ゴム等の糸状弾性部材が配置されていてもよい。これらの場合にも、伸縮性不織布２１５や糸状弾性部材が、一対の係止部２４間に亘って左右方向に連続し、係止部２４において後側高圧力領域４１と連結されているとよい。そうすることで上記の効果が得られる。
【００７７】
また、図７Ｂに示すように、中臀筋６０は人体の背側から側部に亘って位置している。そのため、図６に示すように、前側高圧力領域４２の左右方向の両端部４２１の方が中央部４２２に比べて、前側高圧力領域４２の上下方向の長さが長く（Ｌ３＞Ｌ４）、かつ、前側高圧力領域４２の上端４２ａが上方に位置しているとよい。
【００７８】
このように前側高圧力領域４２の左右方向の両端部４２１が、比較的に上方に位置し、上下方向の長さ（Ｌ３）が長いと、前側高圧力領域４２が着用者の側部の中臀筋に密着できる。そのため、後側高圧力領域４１と前側高圧力領域４２によって、着用者の中臀筋のより広い範囲を締め付けることができる。よって、着用者の動作サポート力（歩行サポート力）が高まる。
【００７９】
一方、前側高圧力領域４２の左右方向の中央部４２２は、比較的に下方に位置し、着用者の腹部の膨らみよりも下方に位置する。そのため、前側高圧力領域４２で着用者の腹部を過度に締め付けることがなく、おむつ１の着け心地を良くすることができる。
【００８０】
なお、上記の上下方向の長さ（Ｌ３，Ｌ４）及び上端（４２ａ）の位置関係については、少なくとも、前側高圧力領域４２の左右方向の両端と中央において成立していればよい。好ましくは、前側高圧力領域４１の左右方向の両端から全体の１／３の長さの両端部４２１と、その間の中央部４２２において、成立しているとよい。ただし、前側高圧力領域４２の形状は上記に限定されないものとする。
【００８１】
また、前側ベルト部２１の左右方向の中央部では、前側高圧力領域４２の上方に隣接して前側低圧力領域３２が配置されているとよい。具体的には、少なくとも、前側ベルト部２１の左右方向の中央において前側低圧力領域３２が位置していればよく、好ましくは、前側ベルト部２１の左右方向の両端から全体の１／３の長さを両端部とし、その間の中央部において前側低圧力領域３２が位置しているとよい。そうすることで、前側低圧力領域３２は、着用者の腹部に適度にフィットでき、おむつ１の位置ずれを抑制できる。
【００８２】
また、前側高圧力領域４２は、前後方向において、吸収性コア１１の前側部と重ならずに配置されていることが好ましい。そうすることで、前側高圧力領域４２によって吸収性コア１１が左右方向に収縮してしまうことを抑制できる。よって、吸収性コア１１の平坦性が維持されて着用時の違和感が生じ難くなり、おむつ１の着け心地を良くすることができる。なお、吸収性コア１１の前側部とは、吸収性コア１１の長手方向の中央よりも前側（腹側）の部位とする。また、上記に限定されず、前側高圧力領域４２と吸収性コア１１が重なっていてもよい。
【００８３】
また、後側高圧力領域４１及び前側高圧力領域４２がそれぞれ備える伸縮性フィルム４３Ａ〜４３Ｆ，４３ａ〜４３ｆは、上下方向に間隔を空けて複数配置されていることが好ましい。上下方向に隣り合う伸縮性フィルム４３の間の部位では、伸縮性フィルム４３が配置されている部位に比べて、シートの積層枚数が少なくなるため、厚さ方向の通気性が良い。よって、おむつ１内の湿った空気を、伸縮性フィルム４３の間の部位から厚さ方向の非肌側に放出でき、おむつ１内の蒸れを抑制できる。よって、おむつ１の着け心地を良くすることができる。
【００８４】
特に、高圧力領域４０に伸縮性フィルム４３を配置する場合、伸縮性不織布や糸状弾性部材を配置する場合に比べて、厚さ方向の通気性が低下する。そのため、上下方向に間隔を空けて伸縮性フィルム４３を配置するとよい。ただし、上記に限定されず、高圧力領域４０の全域に伸縮性フィルム４３が配置されていてもよい。
【００８５】
また、後側高圧力領域４１及び前側高圧力領域４２のそれぞれにおいて、左右方向の両端部４１１，４２１の方が中央部４１２，４２２に比べて、上下方向に隣り合う伸縮性フィルム４３Ａ〜４３Ｆ，４３ａ〜４３ｆの間隔（上下方向の長さ）を広くするとよい。そうすることで、後側高圧力領域４１及び前側高圧力領域４２のそれぞれにおいて、左右方向の両端部４１１，４２１の方が中央部４１２，４２２に比べて、上下方向の長さが長くなる（Ｌ１＞Ｌ２，Ｌ３＞Ｌ４）。よって、後側高圧力領域４１及び前側高圧力領域４２が中臀筋にフィットできる。
【００８６】
また、後側高圧力領域４１及び前側高圧力領域４２に配置する伸縮性部材（ここでは伸縮性フィルム４３）を、シート状の伸縮性部材にすることが好ましい。
【００８７】
そうすることで、後側高圧力領域４１及び前側高圧力領域４２は、着用者の中臀筋に面でフィットするため、着用者の中臀筋のより広い範囲を締め付けることができる。よって、着用者の動作サポート力（歩行サポート力）が高まる。また、糸状弾性部材によって、シート状の伸縮性部材と同程度の締め付け圧力を得ようとすると、糸状弾性部材の伸長倍率を高める必要がある。そうすると、糸状弾性部材が局所的に着用者に密着し、おむつ１の着け心地の良さが軽減してしまう。
【００８８】
同様に、後側低圧力領域３１及び前側低圧力領域３２に配置する伸縮性部材（ここでは伸縮性不織布２１５，２２５）も、シート状の伸縮性部材にすることが好ましい。そうすることで、後側低圧力領域３１及び前側低圧力領域３２は、着用者の腹部や大臀筋に面でフィットするため、腹部や大臀筋を局所的に締め付けることがなく、おむつ１の着け心地を良くすることができる。なお、伸縮性フィルム４３の代わりに伸縮性不織布を配置して、高圧力領域４０では伸縮性不織布を２層に重ねてもよい。
【００８９】
ただし、上記に限定されない。例えば、前側ベルト部２１及び後側ベルト部２２の広い範囲に亘って糸状弾性部材を上下方向に間隔を空けて配置して低圧力領域３０を形成し、高圧力領域４０を形成する部位には、前記糸状弾性部材に重ねて、別の伸縮性部材（伸縮性フィルム、伸縮性不織布、糸状弾性部材等）を配置してもよい。逆に、前側ベルト部２１及び後側ベルト部２２の広い範囲に亘ってシート状の伸縮性部材（伸縮性フィルム、伸縮性不織布）を配置して低圧力領域３０を形成し、高圧力領域４０を形成する部位には、前記シート状の伸縮性部材に重ねて糸状弾性部材を配置してもよい。また、前側ベルト部２１及び後側ベルト部２２の広い範囲に亘って伸縮性フィルムを配置して低圧力領域３０を形成し、高圧力領域４０を形成する部位には、前記伸縮性フィルムに重ねてシート状の伸縮性部材（伸縮性フィルム、伸縮性不織布）を配置してもよい。また、低圧力領域３０と高圧力領域４０の構成を同じにし、低圧力領域３０の伸縮性部材の伸長倍率に比べて、高圧力領域４０の伸縮性部材の伸長倍率を高めてもよい。
【００９０】
また、おむつ１の一対の脚周り開口１ｂに沿って脚周り用糸ゴム２７（伸縮性部材）が配置されているとよい。そうすることで、脚周り用糸ゴム２７が着用者の脚周り（臀部の輪郭部分）に密着するため、装着時や着用中に、おむつ１が引き上げられ過ぎてしまうことを抑制できる。そのため、後側高圧力領域４１が中臀筋にフィットした状態が維持され、着用者の動作サポート（歩行サポート）が維持される。なお、糸ゴムの代わりに、脚周り開口１ｂに沿ってシート状の伸縮性部材が配置されていてもよい。また、上記に限らず、脚周り開口部１ｂに沿って伸縮性部材が配置されていなくてもよい。
【００９１】
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【符号の説明】
【００９２】
１  おむつ（パンツ型使い捨ておむつ）、
１０  吸収性本体、１１  吸収性コア、１２  トップシート、１３  バックシート、
２０  外装体、２１  前側ベルト部、２２  後側ベルト部、
２１３、２２３  肌側シート、２１４、２２４  非肌側シート、
２１５、２２５  伸縮性不織布（前側伸縮性部材）、
２３  股下部、２４  係止部、
２６  ウェスト用糸ゴム、２７  脚周り用糸ゴム、
３０  低圧力領域、３１  後側低圧力領域（低圧力領域）、
３２  前側低圧力領域、
４０  高圧力領域、４１  後側高圧力領域（高圧力領域）、
４２  前側高圧力領域、
４３  伸縮性フィルム（後側伸縮性部材，前側伸縮性部材）、
５０  接合部、６０  中臀筋、６１  大臀筋、
【図１】
2020103719.tif 000003
【図２】
2020103719.tif 000004
【図３】
2020103719.tif 000005
【図４】
2020103719.tif 000006
【図５】
2020103719.tif 000007
【図６】
2020103719.tif 000008
【図７】
2020103719.tif 000009